(57)【要約】  【課題】  複数の土台下部品を適切な位置に配置してゆく作業を従来よりも容易に実施可能な遊技島の土台下構造と、その設置方法を提供すること。  【解決手段】  土台下構造は、複数の土台下ユニット５ａ〜５ｄを配列した構造になっている。各土台下ユニット５ａ〜５ｄを構成する島用土台下部品７および幅木用土台下部品９は、いずれか一方の端部が他方の端部よりも突出してクランク状に屈曲する屈曲端面を形成している。隣り合う土台下ユニット（例えば、５ａと５ｂ）は、上記屈曲端面で互いに当接することによって相対的に位置決めされている。【選択図】図２
2010012313.tif 000002
【特許請求の範囲】
【請求項１】
遊技島を構築する際に床面上に固定されて、その上に搭載される遊技島本体を、あらかじめ決められた位置に水平に設置するための基礎となる遊技島の土台下構造であって、
複数の土台下ユニットを配列した構造になっていて、その配列中で隣り合う土台下ユニットが、複数の面で互いに当接することによって相対的に位置決めされている
ことを特徴とする遊技島の土台下構造。
【請求項２】
遊技機が曲線に沿って配列される形態の遊技島を構築する際に床面上に固定されて、その上に搭載される遊技島本体を、あらかじめ決められた位置に水平に設置するための基礎となる遊技島の土台下構造であって、
それぞれが前記曲線に沿う形状とされている複数の土台下ユニットを配列した構造になっていて、その配列中で隣り合う土台下ユニットが、複数の面で互いに当接することによって相対的に位置決めされている
ことを特徴とする遊技島の土台下構造。
【請求項３】
前記土台下ユニットが、遊技島本体を搭載するための島用土台下部品と、遊技島の正面側下部に配設される幅木を固定するための幅木用土台下部品とを接合してなり、前記島用土台下部品および前記幅木用土台下部品の内、いずれか一方の端部が他方の端部よりも突出してクランク状に屈曲する屈曲端面を形成しており、前記隣り合う土台下ユニットが、前記屈曲端面で互いに当接することによって相対的に位置決めされている
ことを特徴とする請求項１または請求項２に記載の遊技島の土台下構造。
【請求項４】
請求項３に記載した遊技島の土台下構造の設置方法であって、
実際の設置場所とは別の場所において、前記島用土台下部品および前記幅木用土台下部品の内、いずれか一方の土台下部品を標準ゲージとして用い、該標準ゲージに他方の土台下部品を当接させながら複数の前記他方の土台下部品を配列して、該他方の土台下部品をそれぞれ床面に仮止めし、
仮止めされた前記他方の土台下部品を標準ゲージとして用い、該標準ゲージに前記一方の土台下部品を当接させながら、複数の前記一方の土台下部品を該一方の土台下部品間の継ぎ目と前記他方の土台下部品間の継ぎ目とが一直線にならない位置に配列して、前記一方の土台下部品をそれぞれ床面に仮止めし、
いくつかの前記一方の土台下部品といくつかの前記他方の土台下部品とを、相対変位不能となるように固定して、前記仮止めを外すことにより、複数の前記土台下ユニットを構成し、
該複数の前記土台下ユニットを実際の設置場所へ運んで組み立て直す
ことを特徴とする遊技島の土台下構造の設置方法。
【発明の詳細な説明】
【技術分野】
【０００１】
本発明は、遊技島を水平に設置するための基礎となる遊技島の土台下構造と、その設置方法に関する。
【背景技術】
【０００２】
従来から、遊技島を構築する際には、最初に「土台下」と呼ばれる構造物（以下、土台下構造という）を床面上に固定し、その上に遊技島本体を搭載することにより、遊技島本体を土台下構造上のあらかじめ決められた位置に水平に設置できるようにしている。
【０００３】
従来の土台下構造は、図１１（ａ）に示すように、隙間を空けて平行に配置された島用土台下１０１および幅木用土台下１０３によって構成され、島用土台下１０１は、複数の島用土台下部品１０５を一列に配列した構造、幅木用土台下１０３は、複数の幅木用土台下部品１０７を一列に配列した構造になっていた。島用土台下部品１０５および幅木用土台下部品１０７は、いずれも合板から所要寸法に切り出された長方形の板材で、隣り合う島用土台下部品１０５同士、幅木用土台下部品１０７同士は、いずれも単一面からなる端面で当接し、各島用土台下部品１０５および各幅木用土台下部品１０７が、それぞれコンクリート釘等によって床面に固定されていた。
【０００４】
そして、図１１（ｂ）に示すように、遊技島本体１０９が島用土台下１０１の上に固定され、また、遊技島の正面側下部に配設される幅木１１１が幅木用土台下１０３に固定されていた。
【発明の概要】
【発明が解決しようとする課題】
【０００５】
ところで、近年、遊技場内のレイアウトが多様化してきており、遊技機を円弧に沿って配列可能な形態の遊技島（以下、円弧状遊技島という）を設置したいとの要望があり、そのような円弧状遊技島を構築する場合、その基礎となる土台下構造も円弧状に形成する必要がある。
【０００６】
しかしながら、上記従来の土台下構造を単に円弧に沿って湾曲させたようなものは、各土台下部品が円弧状となる上に、それらを円弧に沿って配列しなければならない。そのため、長方形の土台下部品を一直線に配列する場合には、直線上の標準ゲージが１種類あれば足りたが、円弧状の土台下部品を円弧に沿って配列する場合には、例えば、設置する個々の円弧状遊技島毎に円弧の曲率が異なっていれば、それぞれに専用の曲率で製作された標準ゲージが必要となり、多数の標準ゲージを製作するために無駄なコストがかかるという問題があった。また、標準ゲージを用いることなく、円弧状の土台下部品を円弧に沿って配列することも不可能ではないが、長方形の土台下部品に比べると、正確な位置決めには多大な手間がかかるため、所定の円弧に合った土台下構造を設置する作業に、多大な時間を要するという問題があった。
【０００７】
本発明は、上記問題を解決するためになされたものであり、その目的は、複数の土台下部品を適切な位置に配置してゆく作業を従来よりも容易に実施可能な遊技島の土台下構造と、その設置方法を提供することにある。
【課題を解決するための手段】
【０００８】
上記目的を達成するためになされた上記請求項１に記載の土台下構造は、
遊技島を構築する際に床面上に固定されて、その上に搭載される遊技島本体を、あらかじめ決められた位置に水平に設置するための基礎となる遊技島の土台下構造であって、
複数の土台下ユニットを配列した構造になっていて、その配列中で隣り合う土台下ユニットが、複数の面で互いに当接することによって相対的に位置決めされている
ことを特徴とする。
【０００９】
この土台下構造によれば、隣り合う土台下ユニットが複数の面で当接するように各土台下ユニットを配置するだけで、土台下ユニット間の相対的な位置関係を適正化できる。また逆に、隣り合う土台下ユニットが複数の面で当接していなければ、それにより、土台下ユニット間の相対的な位置関係が不適正な状態にあると判断できる。
【００１０】
したがって、このような土台下構造によれば、複数の土台下ユニットを順に適正な相対位置に配列してゆくことができるので、土台下構造の末端間で大きなずれが生じることはなく、従来品よりも容易に土台下構造を設計通りの形態に組み上げることができる。
【００１１】
なお、この土台下構造は、遊技機が直線に沿ってまっすぐに配列される形態の遊技島において採用することもできるが、上記請求項２に記載の如く構成すると特に有益である。
すなわち、上記請求項２に記載の土台下構造は、
遊技機が曲線に沿って配列される形態の遊技島を構築する際に床面上に固定されて、その上に搭載される遊技島本体を、あらかじめ決められた位置に水平に設置するための基礎となる遊技島の土台下構造であって、
それぞれが前記曲線に沿う形状とされている複数の土台下ユニットを配列した構造になっていて、その配列中で隣り合う土台下ユニットが、複数の面で互いに当接することによって相対的に位置決めされている
ことを特徴とする。
【００１２】
この土台下構造は、遊技機が曲線に沿って配列される形態の遊技島を構築する際に床面上に固定されるもので、ここでいう曲線の代表的な例としては、円弧を挙げることができるが、もちろん、楕円や他の曲線であっても構わない。
【００１３】
このように構成された土台下構造によれば、上記請求項１に記載のものと同様の作用、効果があり、適宜選定された曲率を有する曲線に適合するような特注の標準ゲージを製作して用いなくても、隣り合う土台下ユニットの相対的な位置関係が適正なものかどうかについて容易に確認することができるので、遊技機が曲線に沿って配列される形態の遊技島であっても、複数の土台下ユニットを順に適正な相対位置に配列してゆくことができる。
【００１４】
ところで、各土台下ユニットは、一体的に成形加工された部材であっても構わないが、その場合は、隣り合う土台下ユニットとの当接面を複数の面からなる形状に加工しなければならないので、この当接面の成形加工には相応の手間がかかる。
【００１５】
これに対し、上記請求項３に記載の土台下構造は、
前記土台下ユニットが、遊技島本体を搭載するための島用土台下部品と、遊技島の正面側下部に配設される幅木を固定するための幅木用土台下部品とを接合してなり、前記島用土台下部品および前記幅木用土台下部品の内、いずれか一方の端部が他方の端部よりも突出してクランク状に屈曲する屈曲端面を形成しており、前記隣り合う土台下ユニットが、前記屈曲端面で互いに当接することによって相対的に位置決めされている
ことを特徴とする。
【００１６】
このような土台下構造であれば、島用土台下部品および幅木用土台下部品そのものは、単純な端面形状に加工すればよいので、その成形加工には手間がかからず、製造コストも安価であり、歩留まりもよい。また、島用土台下部品と幅木用土台下部品の位置合わせを行う際には、両者が相互に標準ゲージとしての役割を果たすため、いずれか一方を基準（標準ゲージ）として他方を適切な位置に配列することができる。しかも、島用土台下部品および幅木用土台下部品を接合して土台下ユニットを構成した後は、その端面形状がクランク状に屈曲する屈曲端面となるので、隣り合う土台下ユニットを屈曲端面で互いに当接させることにより、土台下ユニット間の相対的な位置関係を適正化できる。
【００１７】
また、島用土台下部品と幅木用土台下部品とを接合してあるので、両者を確実に適正な相対位置関係に配置することができ、島用土台下部品と幅木用土台下部品とを設置現場で隙間をあけて平行に配置しなければならない従来品に比べ、土台下構造の設置にかかる手間を大幅に削減できる。
【００１８】
なお、島用土台下部品と幅木用土台下部品とを事前に接合してユニット化する手間はかかるが、これは製造工場内での作業であり、実際の設置現場である遊技場における作業時間は短縮されるので、遊技場の改装期間を短くすることができるなど、そのメリットはきわめて大きい。
【００１９】
さらに、上記請求項４に記載の土台下構造の設置方法は、
請求項３に記載した遊技島の土台下構造の設置方法であって、
実際の設置場所とは別の場所において、前記島用土台下部品および前記幅木用土台下部品の内、いずれか一方の土台下部品を標準ゲージとして用い、該標準ゲージに他方の土台下部品を当接させながら複数の前記他方の土台下部品を配列して、該他方の土台下部品をそれぞれ床面に仮止めし、
仮止めされた前記他方の土台下部品を標準ゲージとして用い、該標準ゲージに前記一方の土台下部品を当接させながら、複数の前記一方の土台下部品を該一方の土台下部品間の継ぎ目と前記他方の土台下部品間の継ぎ目とが一直線にならない位置に配列して、前記一方の土台下部品をそれぞれ床面に仮止めし、
いくつかの前記一方の土台下部品といくつかの前記他方の土台下部品とを、相対変位不能となるように固定して、前記仮止めを外すことにより、複数の前記土台下ユニットを構成し、
該複数の前記土台下ユニットを実際の設置場所へ運んで組み立て直す
ことを特徴とする。
【００２０】
この設置方法において、実際の設置場所とは別の場所は、例えば工場内などの場所であり、少なくとも土台下構造を組み上げるのに十分な広さがあって、土台下構造の組立精度を確保できる程度に水平な場所であればどこでもよい。
【００２１】
島用土台下部品および幅木用土台下部品は、一方を配列する際に他方が標準ゲージとして用いられ、これにより、隣り合う二つの土台下部品の当接角度が決められる。そして、これらは島用土台下部品間の継ぎ目と幅木用土台下部品間の継ぎ目とが一直線にならない位置に配列され、その位置関係のまま相対変位不能となるように固定されて、複数の土台下ユニットとされる。
【００２２】
このように構成された土台下ユニットは、それぞれ上記請求項３に記載したような構造になるので、隣り合う土台下ユニットを屈曲端面で互いに当接させて、土台下ユニット間の相対的な位置関係を適正化できる。
【００２３】
したがって、このような土台下構造の設置方法によれば、複数の土台下ユニットを順に適正な相対位置に配列してゆくことができるので、土台下構造の末端間で大きなずれが生じることはなく、土台下構造を設計通りの形態に組み上げることができる。
【００２４】
また、実際の設置場所では土台下ユニットを組み立て直すだけで土台下構造が完成するので、すべての幅木用土台下部品および島用土台下部品を一から組み立てるのに比べ、実際の設置場所における作業時間を短縮できる。また、必ずしも水平な場所を確保することが容易ではない実際の設置場所で、すべての部品を一から組み立てるのに比べ、各部品間の組立精度を高めることもできる。
【図面の簡単な説明】
【００２５】
【図１】土台下構造の平面図である。
【図２】土台下構造を土台下ユニット単位に分解して示す平面図である。
【図３】土台下ユニットの斜視図である。
【図４】土台下構造に遊技島本体を載せた状態を示す従断面図である。
【図５】土台下構造の組立工程を示す第１の平面図である。
【図６】土台下構造の組立工程を示す第２の平面図である。
【図７】土台下構造の組立工程を示す第３の平面図である。
【図８】腰板レールの斜視図である。
【図９】遊技機設置用ゲージの平面図である。
【図１０】（ａ）、（ｂ）ともに土台下ユニットの別の実施形態を示す平面図である。
【図１１】従来の土台下構造を示し、（ａ）はその平面図、（ｂ）は土台下構造に遊技島本体を載せた状態を示す従断面図である。
【発明を実施するための形態】
【００２６】
次に、本発明の実施形態について一例を挙げて説明する。
以下に説明する土台下構造は、図１に示すように、全体が円弧をなす形状になっていて、その外周側部分が島用土台下１、内周側部分が幅木用土台下３となっている。
【００２７】
この土台下構造は、図２に示すように、４つの土台下ユニット５ａ〜５ｄを組み合わせて構成されたもので、図２および図３に示すように、複数の島用土台下部品７、複数の幅木用土台下部品９、複数の継手板１１、複数のレベル合わせ板１３、および複数の鉄柱ベース取付板１５によって構成されている。なお、各土台下ユニット５ａ〜５ｄは、配列される位置によって全体の形状や寸法に若干の違いはあるが、その基本的な構造は同じである。
【００２８】
島用土台下部品７は、合板から切り出された板材で、その外周端と内周端は曲率中心が一致し且つ曲率半径の異なる円弧に沿ってカットされていて、両側端は曲率中心を通る直線に沿ってカットされている。複数の島用土台下部品７は、４つの土台下ユニット５ａ〜５ｄを組み合わせた際に全体で同一の円弧をなすように配列され、このように配列された島用土台下部品７によって上記島用土台下１が構成されている。
【００２９】
幅木用土台下部品９も、合板から切り出された板材で、その外周端と内周端は曲率中心が一致し且つ曲率半径の異なる円弧に沿ってカットされていて、両側端は曲率中心を通る直線に沿ってカットされている。これら複数の幅木用土台下部品９も、４つの土台下ユニット５ａ〜５ｄを組み合わせた際に全体で同一の円弧をなすように配列され、このように配列された幅木用土台下部品９によって上記幅木用土台下３が構成されている。
【００３０】
島用土台下部品７の内周端と幅木用土台下部品９の外周端は、同じ曲率の円弧をなすように形成されていて、各土台下ユニット５ａ〜５ｄとも、島用土台下部品７の内周端と幅木用土台下部品９の外周端が、ぴったりと当接するように配置されている。
【００３１】
また、島用土台下部品７および幅木用土台下部品９は、いずれか一方の端部が他方の端部よりも突出してクランク状に屈曲する屈曲端面を形成している。
より具体的には、図２に示した土台下ユニット５ａ〜５ｄの場合、土台下ユニット５ａは、土台下ユニット５ｂ側の端部において、幅木用土台下部品９の端部が島用土台下部品７の端部よりも突出してクランク状に屈曲する屈曲端面を形成している。また、土台下ユニット５ｂは、土台下ユニット５ａ側の端部において、島用土台下部品７の端部が幅木用土台下部品９の端部よりも突出してクランク状に屈曲する屈曲端面を形成している。これら２つの屈曲端面は、互いに適合する凹凸関係になっていて、両屈曲端面をぴったりと当接させると、土台下ユニット５ａと土台下ユニット５ｂとの相対的な位置関係を、適正な位置関係となるように位置決めすることができる。なお、土台下ユニット５ｂと土台下ユニット５ｃとの当接箇所、および土台下ユニット５ｃと土台下ユニット５ｄとの当接箇所についても、同じく互いに当接する屈曲端面が形成されていて、両屈曲端面をぴったりと当接させると、土台下ユニット相互の相対的な位置関係を、適正な位置関係となるように位置決めすることができる。
【００３２】
継手板１１は、島用土台下部品７と幅木用土台下部品９とを連結して相対的に変位しないように接合するための部材で、所要箇所に配設されて島用土台下部品７および幅木用土台下部品９の双方に対して固定されている。この継手板１１で連結された島用土台下部品７および幅木用土台下部品９は、同一の土台下ユニットに含まれることになり、一方、継手板１１で連結されなかった島用土台下部品７および幅木用土台下部品９は、隣接する土台下ユニットの継ぎ目部分をなすことになる。
【００３３】
レベル合わせ板１３は、その上に遊技島本体２１（図４参照）が搭載される部分で、土台下構造が設置される場所の床面の傾きに応じて、最適な高さ方向寸法のレベル合わせ板１３が設置現場で配設され、これにより、遊技島本体２１を床面の傾きによらず水平に設置できるようにしている。
【００３４】
鉄柱ベース取付板１５は、遊技島本体２１を支える鉄柱（図示略）を土台下構造を挟んだ状態で設置現場の床面に固定する際に利用する鉄柱ベース（図示略）の取付場所として、島用土台下部品７に対して増設される板材である。上記鉄柱ベースは、図３中において点線で示した位置に設置され、床面に固定されるが、その際、鉄柱ベースの中心が島用土台下部品７の上に載り、島用土台下部品７から内側へはみ出した部分が幅木用土台下部品９の上に載り、島用土台下部品７から外側へはみ出した部分が鉄柱ベース取付板１５の上に載る状態となり、その位置で鉄柱ベースが土台下構造を挟んだ状態で設置現場の床面に対して固定される。
【００３５】
以上のように構成された土台下構造は、床面上に固定され、図４に示すように、島用土台下１の上に遊技島本体２１が搭載される。島用土台下１と遊技島本体２１との間には、床面の傾きに合わせて高さが調節されたレベル合わせ板１３が介在させてあるので、遊技島本体２１は水平に設置されることになる。また、幅木用土台下３の前端（内周端）には、幅木２３が固定される。
【００３６】
次に、上記土台下構造の設置方法について説明する。
上記土台下構造は、まず、製造工場内において仮組みされる。
この仮組み作業では、最初に、幅木用土台下部品９を標準ゲージとして用い、その標準ゲージに島用土台下部品７を当接させながら、複数の島用土台下部品７を配列し、各島用土台下部品７を床面にビスで仮止めしてゆく。これにより、島用土台下部品７は、図５に示すように円弧状に配列されて島用土台下１が構成される。
【００３７】
この仮組み作業が行われる場所（工場床面）は、実際の設置現場とは異なり、十分に水平な床面を有し、しかも、島用土台下１の末端間距離や曲率中心から各島用土台下部品７への距離など、種々のポイント間の直線距離を障害物に邪魔されることなく測定できる場所である。そのため、島用土台下部品７が円弧に沿って適正に配列されているか否かを容易に検証できる。
【００３８】
こうして島用土台下部品７が床面に仮止めされたら、続いて、島用土台下１の上面にレベル合わせ板１３をビスで固定する。上記の通り、工場床面は十分に水平であるため、複数のレベル合わせ板１３は、すべて同一の高さ方向寸法を有するものが固定される。
【００３９】
続いて、仮止めされた島用土台下部品７を標準ゲージとして用い、その標準ゲージに幅木用土台下部品９を当接させながら、複数の幅木用土台下部品９を配列し、各幅木用土台下部品９を床面にビスで仮止めしてゆく。これにより、幅木用土台下部品９は、図６に示すように円弧状に配列されて幅木用土台下３が構成される。
【００４０】
この時、幅木用土台下部品９は、幅木用土台下部品９間の継ぎ目と島用土台下部品７間の継ぎ目とが一直線にならない位置に配列される。
なお、幅木用土台下部品９が床面に仮止めされたら、ここで、遊技島本体２１についてもある程度の組立を行う。具体的には、別途組み立てられた遊技島本体２１（ユニット島）を土台下構造の上に設置して、遊技島本体２１に対してカウンターや配線などの付属品を取り付ける作業を行う。
【００４１】
続いて、図７に示すように、先に説明した鉄柱ベースの配置位置を油性ペン等で罫書きするとともに、島用土台下１の外周側へ鉄柱ベースの一部がはみ出すので、その位置に鉄柱ベース取付板１５を増設する。
【００４２】
そして、いくつかの島用土台下部品７といくつかの幅木用土台下部品９とを、図１に示したように、継手板１１によって相対変位不能となるように固定して、すべての仮止めを外す。これにより、図２に示した土台下ユニット５ａ〜５ｄが構成されることになる。継手板１１の取付箇所は、得られる土台下ユニット５ａ〜５ｄの大きさがトラック等の運搬手段によって運搬できる程度の大きさになることを考慮して適宜設定されている。
【００４３】
また、上記の通り、島用土台下部品７および幅木用土台下部品９は、島用土台下部品７間の継ぎ目と幅木用土台下部品９間の継ぎ目とが一直線にならない位置に配列されているので、各土台下ユニット５ａ〜５ｄは、先に説明したクランク状に屈曲する屈曲端面をなすものとなる。
【００４４】
以上のようにして構成された土台下ユニット５ａ〜５ｄは、実際の設置場所へ運ばれて、再び組み立てられる。この時は、各土台下ユニット５ａ〜５ｄの屈曲端面相互がぴったりと当接するように各土台下ユニット５ａ〜５ｄを配設するだけで、所期の円弧状土台下構造を復元することができるので、きわめて迅速に土台下構造を組み上げることができる。また、各土台下ユニット５ａ〜５ｄを構成する部品は、あらかじめ精度よく組み立てられているので、各部品を設置現場で組み上げるもの以上に組立精度が高い。
【００４５】
なお、組み上げられた土台下構造は、床にコンクリート釘などで固定される。その後、レベル合わせ板１３上面の水平レベル合わせ作業、鉄柱ベースの固定作業、鉄柱と鉄柱ベースとを締結して遊技島本体２１（ユニット島）を設置する作業、各種装飾部品（腰板、欄間など）の取付作業などを順に行い、遊技島全体を完成させることになる。
【００４６】
ところで、遊技島には、装飾部品の一つとして、図４に示すように、腰板３１が取り付けられる。この腰板３１は、その上端および下端が、遊技島に固定された腰板レール３３によって保持されている。
【００４７】
この種の腰板レールとして、従来は、断面形状がコの字形の樹脂製長尺材が多用されていたが、上記腰板レール３３は、図８に示すように、従来品と同等な断面形状の金属製長尺材に対し、多数のスリット３５を設けた構造になっている。
【００４８】
このような腰板レール３３であれば、多数のスリット３５を設けたことによって腰板レール３３の曲げ剛性が低くなっているので、上述のような円弧状遊技島に対して腰板レール３３を配設する際に、腰板レール３３を遊技島前面の円弧に沿って容易に湾曲させることができ、その取付作業にかかる手間を軽減することができる。なお、腰板レールとしては、上記金属製のものの他、樹脂製のものも利用できる。
【００４９】
また、上述の如き円弧状遊技島において遊技機を配設する際には、図９に示すような遊技機設置用ゲージ４１を用いると、各遊技機を遊技島のなす円弧の曲率中心に向けて配設する作業を容易に実施することができる。
【００５０】
この遊技機設置用ゲージ４１は、一対の可動接触片４３と、一対の可動接触片４３の間隔を変更するための間隔調節機構４５と、一つの基準面４７ａおよび３組の平行面４７ｂ，４７ｃ，４７ｄを有する定規板４７とを備えている。
【００５１】
一対の可動接触片４３は、間隔調節機構４５を操作すると左右対称に変位するが、その位置は、常に基準面４７ａからの距離が等距離となる位置にある。
定規板４７に形成された３組の平行面４７ｂ，４７ｃ，４７ｄは、いずれも基準面４７ａを対称中心とする面対称な位置にあり、平行面４７ｂは、その間隔がスロット機の設置寸法（４８０ｍｍ）、平行面４７ｃは、その間隔がパチンコ機関東枠の設置寸法（５２５ｍｍ）、平行面４７ｄは、その間隔がパチンコ機関西枠の設置寸法（５３４ｍｍ）とされている。
【００５２】
このような遊技機設置用ゲージ４１は、可動接触片４３を円弧状遊技島のカウンター前面の円弧面に当接するように押し当てると、基準面４７ａが、遊技島のなす円弧の曲率中心を通る直線に一致する。したがって、設置したい遊技機に応じて３組の平行面４７ｂ，４７ｃ，４７ｄの中から所望の平行面を選び、その平行面に沿って油性ペン等で罫書きを行えば、遊技機の配設位置および向きを簡単に確定することができる。
【００５３】
ちなみに、円弧状遊技島のカウンター前面の円弧面の一部に何らかの障害物があるような場合には、可動接触片４３の間隔を適宜調節することにより、障害物を避けて可動接触片４３を円弧面に正しく当接させることができる。また、上記可動接触片４３は、間隔調節機構４５を操作した際、常に基準面４７ａからの距離が等距離となる位置に移動するようになっているが、これについては、各可動接触片４３の位置をそれぞれ個別に変更することにより、基準面４７ａからの距離が等距離となる位置に変更できるようになっていてもよい。但し、常に基準面４７ａからの距離が等距離となる方が使い勝手はよい。また、上記３組の平行面４７ｂ，４７ｃ，４７ｄに代えて、同位置に目盛だけを設けてあってもよい。
【００５４】
以上、本発明の実施形態について説明したが、本発明は上記の具体的な一実施形態に限定されず、この他にも種々の形態で実施することができる。
例えば、上記実施形態において、土台下ユニット５ａ〜５ｄは、複数の部品を接合して構成されていたが、これに限らず、一体的に形成されていてもよい。
【００５５】
具体的には、例えば、図１０（ａ）に示すように、上述の土台下ユニット５ｂ等と同等な形状の土台下ユニット５１を一枚板から切り出し、その土台下ユニット５１を複数組み合わせて土台下構造を構成してもよい。
【００５６】
また、図１０（ｂ）に示すように、凹形と凸形の端部を有する土台下ユニット５３を一枚板から切り出し、その土台下ユニット５３を複数組み合わせて土台下構造を構成してもよい。すなわち、土台下ユニット間の当接箇所は、複数の面で当接して相互の位置決めがなされるものであれば、その具体的な端面形状については限定されない。
【００５７】
但し、大型の土台下ユニットを切り出すには、大型の板材が必要となり、また、複雑な形状の土台下ユニットを切り出すと、作業性が悪くなる上に、歩留まりが悪くなるという問題を招きやすいので、これらの問題を招きにくいという点では、単純な形状の小型の部材を複数組み合わせて土台下ユニットを構成する方がよい。
【符号の説明】
【００５８】
１・・・島用土台下、３・・・幅木用土台下、５ａ〜５ｄ，５１，５３・・・土台下ユニット、７・・・島用土台下部品、９・・・幅木用土台下部品、１１・・・継手板、１３・・・レベル合わせ板、１５・・・鉄柱ベース取付板、２１・・・遊技島本体、２３・・・幅木、３１・・・腰板、３３・・・腰板レール、３５・・・スリット、４１・・・遊技機設置用ゲージ、４３・・・可動接触片、４５・・・間隔調節機構、４７・・・定規板、４７ａ・・・基準面、４７ｂ，４７ｃ，４７ｄ・・・平行面。
【図１】
2010012313.tif 000003
【図２】
2010012313.tif 000004
【図３】
2010012313.tif 000005
【図４】
2010012313.tif 000006
【図５】
2010012313.tif 000007
【図６】
2010012313.tif 000008
【図７】
2010012313.tif 000009
【図８】
2010012313.tif 000010
【図９】
2010012313.tif 000011
【図１０】
2010012313.tif 000012
【図１１】
2010012313.tif 000013
【手続補正書】
【提出日】平成21年11月18日(2009.11.18)
【手続補正１】
【補正対象書類名】特許請求の範囲
【補正対象項目名】全文
【補正方法】変更
【補正の内容】
【特許請求の範囲】
【請求項１】
遊技機が曲線に沿って配列される形態の遊技島を構築する際に床面上に固定されて、その上に搭載される遊技島本体を、あらかじめ決められた位置に水平に設置するための基礎となる遊技島の土台下構造であって、
それぞれが前記曲線に沿う形状とされている複数の土台下ユニットを配列した構造になっていて、その配列中で隣り合う土台下ユニットが、複数の面で互いに当接することによって前記曲線に沿って配列されるように相対的に位置決めされている
ことを特徴とする遊技島の土台下構造。
【手続補正２】
【補正対象書類名】明細書
【補正対象項目名】全文
【補正方法】変更
【補正の内容】
【発明の詳細な説明】
【技術分野】
【０００１】
本発明は、遊技島を水平に設置するための基礎となる遊技島の土台下構造に関する。
【背景技術】
【０００２】
従来から、遊技島を構築する際には、最初に「土台下」と呼ばれる構造物（以下、土台下構造という）を床面上に固定し、その上に遊技島本体を搭載することにより、遊技島本体を土台下構造上のあらかじめ決められた位置に水平に設置できるようにしている。
【０００３】
従来の土台下構造は、図１１（ａ）に示すように、隙間を空けて平行に配置された島用土台下１０１および幅木用土台下１０３によって構成され、島用土台下１０１は、複数の島用土台下部品１０５を一列に配列した構造、幅木用土台下１０３は、複数の幅木用土台下部品１０７を一列に配列した構造になっていた。島用土台下部品１０５および幅木用土台下部品１０７は、いずれも合板から所要寸法に切り出された長方形の板材で、隣り合う島用土台下部品１０５同士、幅木用土台下部品１０７同士は、いずれも単一面からなる端面で当接し、各島用土台下部品１０５および各幅木用土台下部品１０７が、それぞれコンクリート釘等によって床面に固定されていた。
【０００４】
そして、図１１（ｂ）に示すように、遊技島本体１０９が島用土台下１０１の上に固定され、また、遊技島の正面側下部に配設される幅木１１１が幅木用土台下１０３に固定されていた。
【発明の概要】
【発明が解決しようとする課題】
【０００５】
ところで、近年、遊技場内のレイアウトが多様化してきており、遊技機を円弧に沿って配列可能な形態の遊技島（以下、円弧状遊技島という）を設置したいとの要望があり、そのような円弧状遊技島を構築する場合、その基礎となる土台下構造も円弧状に形成する必要がある。
【０００６】
しかしながら、上記従来の土台下構造を単に円弧に沿って湾曲させたようなものは、各土台下部品が円弧状となる上に、それらを円弧に沿って配列しなければならない。そのため、長方形の土台下部品を一直線に配列する場合には、直線上の標準ゲージが１種類あれば足りたが、円弧状の土台下部品を円弧に沿って配列する場合には、例えば、設置する個々の円弧状遊技島毎に円弧の曲率が異なっていれば、それぞれに専用の曲率で製作された標準ゲージが必要となり、多数の標準ゲージを製作するために無駄なコストがかかるという問題があった。また、標準ゲージを用いることなく、円弧状の土台下部品を円弧に沿って配列することも不可能ではないが、長方形の土台下部品に比べると、正確な位置決めには多大な手間がかかるため、所定の円弧に合った土台下構造を設置する作業に、多大な時間を要するという問題があった。
【０００７】
本発明は、上記問題を解決するためになされたものであり、その目的は、複数の土台下部品を適切な位置に配置してゆく作業を従来よりも容易に実施可能な遊技島の土台下構造を提供することにある。
【課題を解決するための手段】
【０００８】
上記目的を達成するためになされた上記請求項１に記載の土台下構造は、
遊技機が曲線に沿って配列される形態の遊技島を構築する際に床面上に固定されて、その上に搭載される遊技島本体を、あらかじめ決められた位置に水平に設置するための基礎となる遊技島の土台下構造であって、
それぞれが前記曲線に沿う形状とされている複数の土台下ユニットを配列した構造になっていて、その配列中で隣り合う土台下ユニットが、複数の面で互いに当接することによって前記曲線に沿って配列されるように相対的に位置決めされている
ことを特徴とする。
【０００９】
この土台下構造によれば、隣り合う土台下ユニットが複数の面で当接するように各土台下ユニットを配置するだけで、土台下ユニット間の相対的な位置関係を適正化できる。また逆に、隣り合う土台下ユニットが複数の面で当接していなければ、それにより、土台下ユニット間の相対的な位置関係が不適正な状態にあると判断できる。
【００１０】
したがって、このような土台下構造によれば、複数の土台下ユニットを順に適正な相対位置に配列してゆくことができるので、土台下構造の末端間で大きなずれが生じることはなく、従来品よりも容易に土台下構造を設計通りの形態に組み上げることができる。
【００１１】
【００１２】
この土台下構造は、遊技機が曲線に沿って配列される形態の遊技島を構築する際に床面上に固定されるもので、ここでいう曲線の代表的な例としては、円弧を挙げることができるが、もちろん、楕円や他の曲線であっても構わない。
【００１３】
このように構成された土台下構造によれば、適宜選定された曲率を有する曲線に適合するような特注の標準ゲージを製作して用いなくても、隣り合う土台下ユニットの相対的な位置関係が適正なものかどうかについて容易に確認することができるので、遊技機が曲線に沿って配列される形態の遊技島であっても、複数の土台下ユニットを順に適正な相対位置に配列してゆくことができる。
【００１４】
ところで、各土台下ユニットは、一体的に成形加工された部材であっても構わない。
【００１５】
【００１６】
【００１７】
【００１８】
【００１９】
【００２０】
【００２１】
【００２２】
【００２３】
【００２４】
【図面の簡単な説明】
【００２５】
【図１】土台下構造の平面図である。
【図２】土台下構造を土台下ユニット単位に分解して示す平面図である。
【図３】土台下ユニットの斜視図である。
【図４】土台下構造に遊技島本体を載せた状態を示す従断面図である。
【図５】土台下構造の組立工程を示す第１の平面図である。
【図６】土台下構造の組立工程を示す第２の平面図である。
【図７】土台下構造の組立工程を示す第３の平面図である。
【図８】腰板レールの斜視図である。
【図９】遊技機設置用ゲージの平面図である。
【図１０】（ａ）、（ｂ）ともに土台下ユニットの別の実施形態を示す平面図である。
【図１１】従来の土台下構造を示し、（ａ）はその平面図、（ｂ）は土台下構造に遊技島本体を載せた状態を示す従断面図である。
【発明を実施するための形態】
【００２６】
次に、本発明の実施形態について一例を挙げて説明する。
以下に説明する土台下構造は、図１に示すように、全体が円弧をなす形状になっていて、その外周側部分が島用土台下１、内周側部分が幅木用土台下３となっている。
【００２７】
この土台下構造は、図２に示すように、４つの土台下ユニット５ａ〜５ｄを組み合わせて構成されたもので、図２および図３に示すように、複数の島用土台下部品７、複数の幅木用土台下部品９、複数の継手板１１、複数のレベル合わせ板１３、および複数の鉄柱ベース取付板１５によって構成されている。なお、各土台下ユニット５ａ〜５ｄは、配列される位置によって全体の形状や寸法に若干の違いはあるが、その基本的な構造は同じである。
【００２８】
島用土台下部品７は、合板から切り出された板材で、その外周端と内周端は曲率中心が一致し且つ曲率半径の異なる円弧に沿ってカットされていて、両側端は曲率中心を通る直線に沿ってカットされている。複数の島用土台下部品７は、４つの土台下ユニット５ａ〜５ｄを組み合わせた際に全体で同一の円弧をなすように配列され、このように配列された島用土台下部品７によって上記島用土台下１が構成されている。
【００２９】
幅木用土台下部品９も、合板から切り出された板材で、その外周端と内周端は曲率中心が一致し且つ曲率半径の異なる円弧に沿ってカットされていて、両側端は曲率中心を通る直線に沿ってカットされている。これら複数の幅木用土台下部品９も、４つの土台下ユニット５ａ〜５ｄを組み合わせた際に全体で同一の円弧をなすように配列され、このように配列された幅木用土台下部品９によって上記幅木用土台下３が構成されている。
【００３０】
島用土台下部品７の内周端と幅木用土台下部品９の外周端は、同じ曲率の円弧をなすように形成されていて、各土台下ユニット５ａ〜５ｄとも、島用土台下部品７の内周端と幅木用土台下部品９の外周端が、ぴったりと当接するように配置されている。
【００３１】
また、島用土台下部品７および幅木用土台下部品９は、いずれか一方の端部が他方の端部よりも突出してクランク状に屈曲する屈曲端面を形成している。
より具体的には、図２に示した土台下ユニット５ａ〜５ｄの場合、土台下ユニット５ａは、土台下ユニット５ｂ側の端部において、幅木用土台下部品９の端部が島用土台下部品７の端部よりも突出してクランク状に屈曲する屈曲端面を形成している。また、土台下ユニット５ｂは、土台下ユニット５ａ側の端部において、島用土台下部品７の端部が幅木用土台下部品９の端部よりも突出してクランク状に屈曲する屈曲端面を形成している。これら２つの屈曲端面は、互いに適合する凹凸関係になっていて、両屈曲端面をぴったりと当接させると、土台下ユニット５ａと土台下ユニット５ｂとの相対的な位置関係を、適正な位置関係となるように位置決めすることができる。なお、土台下ユニット５ｂと土台下ユニット５ｃとの当接箇所、および土台下ユニット５ｃと土台下ユニット５ｄとの当接箇所についても、同じく互いに当接する屈曲端面が形成されていて、両屈曲端面をぴったりと当接させると、土台下ユニット相互の相対的な位置関係を、適正な位置関係となるように位置決めすることができる。
【００３２】
継手板１１は、島用土台下部品７と幅木用土台下部品９とを連結して相対的に変位しないように接合するための部材で、所要箇所に配設されて島用土台下部品７および幅木用土台下部品９の双方に対して固定されている。この継手板１１で連結された島用土台下部品７および幅木用土台下部品９は、同一の土台下ユニットに含まれることになり、一方、継手板１１で連結されなかった島用土台下部品７および幅木用土台下部品９は、隣接する土台下ユニットの継ぎ目部分をなすことになる。
【００３３】
レベル合わせ板１３は、その上に遊技島本体２１（図４参照）が搭載される部分で、土台下構造が設置される場所の床面の傾きに応じて、最適な高さ方向寸法のレベル合わせ板１３が設置現場で配設され、これにより、遊技島本体２１を床面の傾きによらず水平に設置できるようにしている。
【００３４】
鉄柱ベース取付板１５は、遊技島本体２１を支える鉄柱（図示略）を土台下構造を挟んだ状態で設置現場の床面に固定する際に利用する鉄柱ベース（図示略）の取付場所として、島用土台下部品７に対して増設される板材である。上記鉄柱ベースは、図３中において点線で示した位置に設置され、床面に固定されるが、その際、鉄柱ベースの中心が島用土台下部品７の上に載り、島用土台下部品７から内側へはみ出した部分が幅木用土台下部品９の上に載り、島用土台下部品７から外側へはみ出した部分が鉄柱ベース取付板１５の上に載る状態となり、その位置で鉄柱ベースが土台下構造を挟んだ状態で設置現場の床面に対して固定される。
【００３５】
以上のように構成された土台下構造は、床面上に固定され、図４に示すように、島用土台下１の上に遊技島本体２１が搭載される。島用土台下１と遊技島本体２１との間には、床面の傾きに合わせて高さが調節されたレベル合わせ板１３が介在させてあるので、遊技島本体２１は水平に設置されることになる。また、幅木用土台下３の前端（内周端）には、幅木２３が固定される。
【００３６】
次に、上記土台下構造の設置方法について説明する。
上記土台下構造は、まず、製造工場内において仮組みされる。
この仮組み作業では、最初に、幅木用土台下部品９を標準ゲージとして用い、その標準ゲージに島用土台下部品７を当接させながら、複数の島用土台下部品７を配列し、各島用土台下部品７を床面にビスで仮止めしてゆく。これにより、島用土台下部品７は、図５に示すように円弧状に配列されて島用土台下１が構成される。
【００３７】
この仮組み作業が行われる場所（工場床面）は、実際の設置現場とは異なり、十分に水平な床面を有し、しかも、島用土台下１の末端間距離や曲率中心から各島用土台下部品７への距離など、種々のポイント間の直線距離を障害物に邪魔されることなく測定できる場所である。そのため、島用土台下部品７が円弧に沿って適正に配列されているか否かを容易に検証できる。
【００３８】
こうして島用土台下部品７が床面に仮止めされたら、続いて、島用土台下１の上面にレベル合わせ板１３をビスで固定する。上記の通り、工場床面は十分に水平であるため、複数のレベル合わせ板１３は、すべて同一の高さ方向寸法を有するものが固定される。
【００３９】
続いて、仮止めされた島用土台下部品７を標準ゲージとして用い、その標準ゲージに幅木用土台下部品９を当接させながら、複数の幅木用土台下部品９を配列し、各幅木用土台下部品９を床面にビスで仮止めしてゆく。これにより、幅木用土台下部品９は、図６に示すように円弧状に配列されて幅木用土台下３が構成される。
【００４０】
この時、幅木用土台下部品９は、幅木用土台下部品９間の継ぎ目と島用土台下部品７間の継ぎ目とが一直線にならない位置に配列される。
なお、幅木用土台下部品９が床面に仮止めされたら、ここで、遊技島本体２１についてもある程度の組立を行う。具体的には、別途組み立てられた遊技島本体２１（ユニット島）を土台下構造の上に設置して、遊技島本体２１に対してカウンターや配線などの付属品を取り付ける作業を行う。
【００４１】
続いて、図７に示すように、先に説明した鉄柱ベースの配置位置を油性ペン等で罫書きするとともに、島用土台下１の外周側へ鉄柱ベースの一部がはみ出すので、その位置に鉄柱ベース取付板１５を増設する。
【００４２】
そして、いくつかの島用土台下部品７といくつかの幅木用土台下部品９とを、図１に示したように、継手板１１によって相対変位不能となるように固定して、すべての仮止めを外す。これにより、図２に示した土台下ユニット５ａ〜５ｄが構成されることになる。継手板１１の取付箇所は、得られる土台下ユニット５ａ〜５ｄの大きさがトラック等の運搬手段によって運搬できる程度の大きさになることを考慮して適宜設定されている。
【００４３】
また、上記の通り、島用土台下部品７および幅木用土台下部品９は、島用土台下部品７間の継ぎ目と幅木用土台下部品９間の継ぎ目とが一直線にならない位置に配列されているので、各土台下ユニット５ａ〜５ｄは、先に説明したクランク状に屈曲する屈曲端面をなすものとなる。
【００４４】
以上のようにして構成された土台下ユニット５ａ〜５ｄは、実際の設置場所へ運ばれて、再び組み立てられる。この時は、各土台下ユニット５ａ〜５ｄの屈曲端面相互がぴったりと当接するように各土台下ユニット５ａ〜５ｄを配設するだけで、所期の円弧状土台下構造を復元することができるので、きわめて迅速に土台下構造を組み上げることができる。また、各土台下ユニット５ａ〜５ｄを構成する部品は、あらかじめ精度よく組み立てられているので、各部品を設置現場で組み上げるもの以上に組立精度が高い。
【００４５】
なお、組み上げられた土台下構造は、床にコンクリート釘などで固定される。その後、レベル合わせ板１３上面の水平レベル合わせ作業、鉄柱ベースの固定作業、鉄柱と鉄柱ベースとを締結して遊技島本体２１（ユニット島）を設置する作業、各種装飾部品（腰板、欄間など）の取付作業などを順に行い、遊技島全体を完成させることになる。
【００４６】
ところで、遊技島には、装飾部品の一つとして、図４に示すように、腰板３１が取り付けられる。この腰板３１は、その上端および下端が、遊技島に固定された腰板レール３３によって保持されている。
【００４７】
この種の腰板レールとして、従来は、断面形状がコの字形の樹脂製長尺材が多用されていたが、上記腰板レール３３は、図８に示すように、従来品と同等な断面形状の金属製長尺材に対し、多数のスリット３５を設けた構造になっている。
【００４８】
このような腰板レール３３であれば、多数のスリット３５を設けたことによって腰板レール３３の曲げ剛性が低くなっているので、上述のような円弧状遊技島に対して腰板レール３３を配設する際に、腰板レール３３を遊技島前面の円弧に沿って容易に湾曲させることができ、その取付作業にかかる手間を軽減することができる。なお、腰板レールとしては、上記金属製のものの他、樹脂製のものも利用できる。
【００４９】
また、上述の如き円弧状遊技島において遊技機を配設する際には、図９に示すような遊技機設置用ゲージ４１を用いると、各遊技機を遊技島のなす円弧の曲率中心に向けて配設する作業を容易に実施することができる。
【００５０】
この遊技機設置用ゲージ４１は、一対の可動接触片４３と、一対の可動接触片４３の間隔を変更するための間隔調節機構４５と、一つの基準面４７ａおよび３組の平行面４７ｂ，４７ｃ，４７ｄを有する定規板４７とを備えている。
【００５１】
一対の可動接触片４３は、間隔調節機構４５を操作すると左右対称に変位するが、その位置は、常に基準面４７ａからの距離が等距離となる位置にある。
定規板４７に形成された３組の平行面４７ｂ，４７ｃ，４７ｄは、いずれも基準面４７ａを対称中心とする面対称な位置にあり、平行面４７ｂは、その間隔がスロット機の設置寸法（４８０ｍｍ）、平行面４７ｃは、その間隔がパチンコ機関東枠の設置寸法（５２５ｍｍ）、平行面４７ｄは、その間隔がパチンコ機関西枠の設置寸法（５３４ｍｍ）とされている。
【００５２】
このような遊技機設置用ゲージ４１は、可動接触片４３を円弧状遊技島のカウンター前面の円弧面に当接するように押し当てると、基準面４７ａが、遊技島のなす円弧の曲率中心を通る直線に一致する。したがって、設置したい遊技機に応じて３組の平行面４７ｂ，４７ｃ，４７ｄの中から所望の平行面を選び、その平行面に沿って油性ペン等で罫書きを行えば、遊技機の配設位置および向きを簡単に確定することができる。
【００５３】
ちなみに、円弧状遊技島のカウンター前面の円弧面の一部に何らかの障害物があるような場合には、可動接触片４３の間隔を適宜調節することにより、障害物を避けて可動接触片４３を円弧面に正しく当接させることができる。また、上記可動接触片４３は、間隔調節機構４５を操作した際、常に基準面４７ａからの距離が等距離となる位置に移動するようになっているが、これについては、各可動接触片４３の位置をそれぞれ個別に変更することにより、基準面４７ａからの距離が等距離となる位置に変更できるようになっていてもよい。但し、常に基準面４７ａからの距離が等距離となる方が使い勝手はよい。また、上記３組の平行面４７ｂ，４７ｃ，４７ｄに代えて、同位置に目盛だけを設けてあってもよい。
【００５４】
以上、本発明の実施形態について説明したが、本発明は上記の具体的な一実施形態に限定されず、この他にも種々の形態で実施することができる。
例えば、上記実施形態において、土台下ユニット５ａ〜５ｄは、複数の部品を接合して構成されていたが、これに限らず、一体的に形成されていてもよい。
【００５５】
具体的には、例えば、図１０（ａ）に示すように、上述の土台下ユニット５ｂ等と同等な形状の土台下ユニット５１を一枚板から切り出し、その土台下ユニット５１を複数組み合わせて土台下構造を構成してもよい。
【００５６】
また、図１０（ｂ）に示すように、凹形と凸形の端部を有する土台下ユニット５３を一枚板から切り出し、その土台下ユニット５３を複数組み合わせて土台下構造を構成してもよい。すなわち、土台下ユニット間の当接箇所は、複数の面で当接して相互の位置決めがなされるものであれば、その具体的な端面形状については限定されない。
【００５７】
但し、大型の土台下ユニットを切り出すには、大型の板材が必要となり、また、複雑な形状の土台下ユニットを切り出すと、作業性が悪くなる上に、歩留まりが悪くなるという問題を招きやすいので、これらの問題を招きにくいという点では、単純な形状の小型の部材を複数組み合わせて土台下ユニットを構成する方がよい。
【符号の説明】
【００５８】
１・・・島用土台下、３・・・幅木用土台下、５ａ〜５ｄ，５１，５３・・・土台下ユニット、７・・・島用土台下部品、９・・・幅木用土台下部品、１１・・・継手板、１３・・・レベル合わせ板、１５・・・鉄柱ベース取付板、２１・・・遊技島本体、２３・・・幅木、３１・・・腰板、３３・・・腰板レール、３５・・・スリット、４１・・・遊技機設置用ゲージ、４３・・・可動接触片、４５・・・間隔調節機構、４７・・・定規板、４７ａ・・・基準面、４７ｂ，４７ｃ，４７ｄ・・・平行面。